(57)【要約】【課題】釣り糸ガイドに簡単な工夫を加えることによって、釣り用リールのスプールに適切な状態で釣り糸を巻き取っていくことのできる釣り糸ガイド構造を提供する。【解決手段】リールシート３を固定した元竿１の外周面に装着してある釣り糸ガイド２を設け、釣り糸ガイド２における釣り糸挿通孔２Ｂを備えたガイド本体２Ａを、元竿１の周方向に回転かつ保持可能に構成する。回転かつ保持可能な機構として、ガイド本体２Ａにおける元竿１に外嵌装着されるボス部２Ｃと元竿１とに亘ってスプリングボール機構Ｃを設けてある。【選択図】図２
2009284780.tif 000002
【特許請求の範囲】
【請求項１】
釣り糸ガイドにおける釣り糸挿通孔を備えたガイド本体を、竿体の周方向に回転かつ保持可能に構成してある釣り竿の釣り糸ガイド構造。
【請求項２】
前記回転かつ保持可能な機構として、前記ガイド本体における前記竿体に外嵌装着されるボス部とその竿体とに亘ってスプリングボール機構を設けてある請求項１記載の釣り竿の釣り糸ガイド構造。
【発明の詳細な説明】
【技術分野】
【０００１】
本発明は、リールシートと釣り糸ガイドとを設けてある釣り竿の釣り糸ガイド構造に関する。
【背景技術】
【０００２】
釣り糸ガイドは、竿体の外周面に装着された状態で、固定されていた（特許文献１）。
【特許文献１】特開平１０−２３８４４号公報（段落〔００１２〕〔００１３〕，図１及び図２）
【発明の開示】
【発明が解決しようとする課題】
【０００３】
釣り用リールとして、レベルワインド機構を装着していないものを使用する場合に、横風が強く吹く状態では、リールシートに最も近い釣り糸ガイドからリールに到達するまでの釣り糸が横風を受けて一方に流される場合がある。また、潮の流れで釣り糸が一方に偏るためや、釣り人の巻き取り体勢が不安定になる場合がある。そうすると、リールで巻き取って行く際に、釣り糸がスプールの一側部に偏って巻き取られることとなるので、左右に亘って同一レベルで巻き取られている場合に比べて、スプールから釣り糸を繰出す際に円滑に釣り糸が繰出されない虞があった。
【０００４】
本発明の目的は、釣り糸ガイドに簡単な工夫を加えることによって、釣り用リールのスプールに適切な状態で釣り糸を巻き取っていくことのできる釣り竿の釣り糸ガイド構造を提供する点にある。
【課題を解決するための手段】
【０００５】
〔構成〕
請求項１に係る発明の特徴構成は、釣り糸ガイドにおける釣り糸挿通孔を備えたガイド本体を、竿体の周方向に回転かつ保持可能に構成してある点にあり、その作用効果は次の通りである。
【０００６】
〔作用〕
釣り糸ガイドを竿体の周方向に回転させて、リールシートに対して偏位させることができる。これによって、横風等によって釣り糸が流される場合であっても、横風の吹いて来る風上側に釣り糸ガイドを偏位させることによって、リールに巻き取られる釣り糸を所定位置に誘導することができ、巻き取り状態を適正なものにできる。
【０００７】
〔効果〕
釣りガイドを周方向に回転かつ保持可能に構成する簡単な改造を施すだけで、釣り用リールへの巻き取り操作を円滑に行えるようになった。
【０００８】
〔構成〕
請求項２に係る発明の特徴構成は、請求項１に係る発明において、前記回転かつ保持可能な機構として、前記ガイド本体における前記竿体に外嵌装着されるボス部とその竿体とに亘ってスプリングボール機構を設けてある点にあり、その作用効果は次の通りである。
【０００９】
〔作用効果〕
釣り糸ガイドを周方向に移動させると、スプリング力に抗してボールが相手側面から退避して、釣り糸ガイドが回転し、所定位置に至った状態でスプリング力でボールが相手側面に係合して、釣り糸ガイドを偏位した位置で保持する。
このように、巻き取り状態を適正なものにする構成として、釣り用ガイドと竿体との間にスプリングボール機構を設けるだけの簡単な改造を施すだけで、釣り用ガイドの基本的構造に大きな改造を加える必要がなく、製造コストの高騰を抑制した状態で有用な釣り糸巻取り構造を提案できるに至った。
【発明を実施するための最良の形態】
【００１０】
〔第１実施形態〕
バス釣り等に使用される釣り竿Ａについて説明する。図１に示すように、釣り竿Ａは、穂先竿（図外）と元竿１とのツーピースタイプのものであり、元竿１の外周面に釣り糸ガイド２とリールシート３とを取付け、リールシート３の先側に前グリップ部４とリールシート３の元側に後グリップ部５を装着して、構成してある。
【００１１】
リールシート３には、固定フード３Ａとトリガー３Ｂとを一体形成したシートベース３Ｃ、及び、シートベース３Ｃのネジ部に螺着されたナット３Ｄと可動フード３Ｅとが備えられて、元竿１に装備されている。
リールシート３には、両軸リールＢが装着されており、この両軸リールＢには、機構の簡素化等を図ってレベルワインド機構が装備されていない。レベルワインド機構が装備されていないリールとしては、チヌ釣り等に使用される片軸リール、バス釣り用リール、石鯛釣り用両軸リール、トローリングリール等がある。
レベルワインド機構が装備されていないことによって、横風等が強力に作用する場合には、釣り糸が流されて、リールに巻き取られる場合に、巻き取り量が一方側に偏ってしまうことがある点については、先に記載した通りである。
そこで、これに対して、次のような対策を施してある。
【００１２】
リールシート３の竿先側に位置する釣り糸ガイド２を次のように構成してある。図２に示すように、釣り糸ガイド２は、釣り糸挿通孔２Ｂを穿設したガイド本体２Ａと、ガイド本体２Ａの下部に形成してあるガイドボス部２Ｃと、ガイドボス部２Ｃとガイド本体２Ａとを連結する脚部２Ｄとを一体形成して、構成してある。釣り糸挿通孔２Ｂの縁部にはセラミック製の滑りリング体２ｂが装着されている。
【００１３】
脚部２Ｄには後向きに延長部２Ｅが延出してあり、その延長部２Ｅに半径方向に沿った保持孔２ｅが形成してある。保持孔２ｅにはスプリングボール機構Ｃにおける、係合用ボール６Ａと、係合用ボール６Ａを元竿１に向けて付勢する付勢バネ６Ｂと、付勢バネ６Ｂのバネ力を調節する調節ナット６Ｃとが装備してある。
一方、釣り糸ガイド２を装着する元竿１には筒状の取付座１Ａが外嵌装着されており、その取付座１Ａの外周面には、係合用穴１ａが円周方向の複数箇所に形成してある。取付座１Ａの前後面には、ガイド本体２Ａを保持する鍔部１ｂを設けてあり、前後一方の鍔部１ｂは、ガイド本体２Ａを装着後カシメ処理を行う。
ここに、係合用ボール６Ａ、付勢バネ６Ｂ、調節ナット６Ｃ、係合用穴１ａ、とでスプリングボール機構Ｃを構成する。
【００１４】
以上のような構成によって、釣り糸ガイド２を元竿１の所定位置に外嵌装着すると、係合用ボール６Ａが元竿１の係合用穴１ａに係合して、釣り糸ガイド２が装着保持される。前記付勢バネ６Ｂのバネ力に抗して釣り糸ガイド２を周方向に回転させると、係合用ボール６Ａが係合用穴１ａとの係合を解除して、その係合用穴１ａに隣接する隣の係合用穴１ａに係合する。これによって、釣り糸ガイド２の周方向での位置を変更可能である。
【００１５】
スプールに巻き取られる糸が偏って巻き取られる場合には、偏った方向とは反対側に釣り糸ガイド２を人為的に偏位させる。これによって、巻き取られる釣り糸の偏りが矯正される。
【００１６】
〔第２実施形態〕
ここでは、第１実施形態とは異なり、スプリングボール機構Ｃを元竿１に組み込み、係合用穴２ａを釣り糸ガイド２のガイドボス部２Ｃに形成したものに適用してもよい。図３に示すように、元竿１における釣り糸ガイド２の装着位置に、元竿１を径方向に貫通する貫通孔を形成し、その貫通孔に保持筒６Ｄを嵌入装着する。保持筒６Ｄ内に係合用ボール６Ａと付勢バネ６Ｂとを挿入し、付勢バネ６Ｂに作用する調節ナット６Ｃを保持筒６Ｄに螺着する。一方、釣り糸ガイド２のガイドボス部２Ｃの内周面に係合用穴２ｃを複数個形成してある。
【００１７】
以上のような構成によって、釣り糸ガイド２を周方向に回転させて、偏位させた位置で位置固定が可能である。
釣り糸ガイド２のガイドボス部２Ｃにおける保持筒６Ｄに対向する部位に、外部から保持筒６Ｄに達する貫通孔２ｄを形成し、釣り糸ガイド２を元竿１に装着した状態で、外部から保持筒６Ｄに螺着された調節ナット６Ｃを操作可能に構成してある。
元竿１に装着されたガイドボス部２Ｃの前後面には、軸用止め輪１ｃが装着してあり、この軸用止め輪１ｃによって、釣り糸ガイド２の軸線方向への移動が規制されている。
【００１８】
〔別実施形態〕
（１）回転かつ保持可能な機構としては、スプリングボール機構Ｃ以外に、リンク機構等を利用したものを採用してもよい。
【図面の簡単な説明】
【００１９】
【図１】リールシートと釣り用ガイドを装備した釣り竿を示す側面図
【図２】（ａ）釣り糸ガイドにスプリングボール機構を施した状態を示す背面図、（ｂ）釣り糸ガイドにスプリングボール機構を施した状態を示す縦断側面図
【図３】（ａ）釣り糸ガイドに別構造のスプリングボール機構を施した状態を示す背面図、（ｂ）釣り糸ガイドに別構造のスプリングボール機構を施した状態を示す縦断側面図
【符号の説明】
【００２０】
１      元竿（竿体）
２      釣り糸ガイド
２Ａ    ガイド本体
２Ｂ    釣り糸挿通孔
２Ｃ    ガイドボス部（ボス部）
３      リールシート
Ｃ      スプリングボール機構
【図１】
2009284780.tif 000003
【図２】
2009284780.tif 000004
【図３】
2009284780.tif 000005